(57)【特許請求の範囲】
【請求項１】
塗装用刷毛（１）の柄（１ａ）を弾発復元力（Ｆ）をもって挟圧する断面略Ｕ字状の板バネ本体部（２０）を有し、上記柄（１ａ）を上下方向に摺動させて上下方向位置決め可能として上記板バネ本体部（２０）が挟着するクリップ部材（２）を備え、
塗料（Ｐ）を収容した容器（５）の上端周縁部（５ａ）に着脱自在に取着され、かつ、該上端周縁部（５ａ）の厚さ寸法（Ｔ５）が相違する複数種類の容器（５）に共用可能の取付け部材（４）を備え、
上記板バネ本体部（２０）の開口端部（２０ａ）（２０ａ）に拡開状傾斜面部（２１）（２１）を有し、倒立Ｕ字状乃至倒立Ｊ字状に弯曲させた帯板状金具から成る係止片（３）を上記板バネ本体部（２０）の反開口側に固着し、
さらに、上記取付け部材（４）は、上記柄（１ａ）の厚さ寸法（Ｔ０）に対して５倍〜１０倍に幅広く形成されると共に複数の上記係止片（３）を同時に係着可能とし複数の上記クリップ部材（２）及び該クリップ部材（２）に挟持される上記刷毛（１）を複数個並べて保持可能な被引掛部（６）を有することを特徴とする刷毛保持装置。
【発明の詳細な説明】
【技術分野】
【０００１】
本発明は、刷毛保持装置に関する。
【背景技術】
【０００２】
従来、束になったブラシ毛を柄で保持した刷毛が塗装作業全般に広く使用されている（特許文献１参照）。
【先行技術文献】
【特許文献】
【０００３】
【特許文献１】特開２００５−３３４４３２号公報
【発明の概要】
【発明が解決しようとする課題】
【０００４】
塗装作業に於て、用途に応じて複数の種類の刷毛を使い分けることがあり、刷毛を持ち替える際には、容器の縁で塗料をすり落として容器の傍らに置くか、又は、単に容器内の塗料に落とし込んで保管しておくことが多い。
しかし、図８に示すように、ブラシ毛３２を下側にして刷毛３１を置いておくと、自重でブラシ毛３２が曲がったままになり、曲がり癖が付いて、塗装作業が正常に行えなくなっていた。また、刷毛３１を容器３５内の塗料Ｐに落とし込んでブラシ毛３２が容器３５の底３６に当たるまで沈めてしまうと、刷毛３１の柄３３に塗料Ｐが付着し、その後の塗装作業がしにくくなるという欠点があった。また、塗装作業を中断する際に、ブラシ毛３２に残った塗料Ｐが固まってしまうと、刷毛３１が使いづらくなって直ちに塗装作業を再開できなくなる問題があった。
【０００５】
そこで、本発明は、刷毛を直ちに正常に使用できる状態に保持して、塗装作業の能率向上に寄与する刷毛保持装置を提供することを目的とする。
【課題を解決するための手段】
【０００６】
本発明に係る刷毛保持装置は、塗装用刷毛の柄を弾発復元力をもって挟圧する断面略Ｕ字状の板バネ本体部を有し、上記柄を上下方向に摺動させて上下方向位置決め可能として上記板バネ本体部が挟着するクリップ部材を備え、塗料を収容した容器の上端周縁部に着脱自在に取着され、かつ、該上端周縁部の厚さ寸法が相違する複数種類の容器に共用可能の取付け部材を備え、上記板バネ本体部の開口端部に拡開状傾斜面部を有し、倒立Ｕ字状乃至倒立Ｊ字状に弯曲させた帯板状金具から成る係止片を上記板バネ本体部の反開口側に固着し、さらに、上記取付け部材は、上記柄の厚さ寸法に対して５倍〜１０倍に幅広く形成されると共に複数の上記係止片を同時に係着可能とし複数の上記クリップ部材及び該クリップ部材に挟持される上記刷毛を複数個並べて保持可能な被引掛部を有するものである。
【発明の効果】
【０００７】
本発明の刷毛保持装置によれば、ブラシ毛に曲がり癖を付けずに刷毛を容器に保持できる。また、クリップ部材を刷毛の柄の上下方向に摺らして取着位置を調整できる。これにより、容器内の塗料の量の多少にかかわらず、刷毛のブラシ毛だけが塗料に浸るように調整して保持できる。即ち、塗装作業の最中において、複数種類の刷毛を、順次使用しようとするとき、ブラシ毛には適量の塗料が付着しているので、直ちに美しく塗装を行い得る。また、塗装作業中断時にブラシ毛だけを塗料に浸けた状態で刷毛を保持できるため、ブラシ毛に付着した塗料が固まりにくく、塗装作業を中断してから１日〜３日後に再開する場合であっても、直ちに塗装を開始することができる。また、刷毛の柄が塗料に浸入しないように調整して、柄に塗料が過分に付着しないように保持できる。また、クリップ部材を柄に取着したまま刷毛を持ち替えて使用することができ、塗装作業の作業効率を向上できる。しかも、クリップ部材を複数種類の刷毛に共用できる。また、固化した塗料を解きほぐすための洗浄液や溶剤を使わなくて済むため、環境汚染を抑制できる。
【図面の簡単な説明】
【０００８】
【図１】本発明の実施の一形態を一部断面で示した側面図である。
【図２】図１の要部拡大図である。
【図３】要部拡大断面平面図である。
【図４】本発明の他の実施の形態を一部断面で示した側面図である。
【図５】本発明の別の実施の形態を一部断面で示した側面図である。
【図６】図１のＡ矢視図である。
【図７】図４のＢ矢視図である。
【図８】従来例を一部断面で示した側面図である。
【発明を実施するための形態】
【０００９】
以下、実施の形態を示す図面に基づき本発明を詳説する。
各々異なる実施の形態を示した図１、図４及び図５に示すように、本発明の刷毛保持装置は、塗装用刷毛１の柄１ａに上下方向に摺動自在として挟着されるクリップ部材２を有し、クリップ部材２には鉤形の係止片３を突設している。さらに、クリップ部材２の係止片３が上方から係脱自在に引掛けられる被引掛部６を有すると共に塗料Ｐを収容した容器５の上端周縁部５ａに取着される取付け部材４を、備えている。
【００１０】
塗装用刷毛１としては、図１に例示する筋違ブラシの他、図４及び図５に示すような平ブラシや目地ブラシ等の多種多様な塗装用ブラシも同様に使用することができる。ここでは、図１の筋違ブラシを例に採って説明するが、塗装用刷毛１は、柄１ａに保持されるブラシ毛７を有している。ブラシ毛７は、多数の毛材を結束したものであり、毛材としては、疎水性の化学繊維や、ブタ毛、馬毛等の動物の毛を用いる。柄１ａは、通常、木製であるが、合成樹脂（プラスチック）製、金属製（例えばアルミニウム製）等の材料を選択するも自由である。図１と図６に於て、柄１ａは、持ち手側の基部がリベット留めされ、２つに割れたブラシ保持板部８，８の間にブラシ毛７を挟持締結している。図６に示すように、２つの内の１方のブラシ保持板部８には、クリップ部材２が上下方向に摺動自在として取付けられている。
【００１１】
図２及び図３に示すように、クリップ部材２は、柄１ａを弾発復元力Ｆをもって挟圧する断面略Ｕ字状の板バネ本体部２０を有し、柄１ａに上下方向に摺動自在として位置決めできるように構成されている。板バネ本体部２０の開口端部２０ａ，２０ａには、拡開状傾斜面部２１，２１を有している。
板バネ本体部２０は、（板バネ）クリップ状の金具から成り、図示省略するが、柄１ａを挟み込んでいない自由状態では、開口端部２０ａ，２０ａが相互に接し、断面三角形状となっている。つまり、板バネ本体部２０は、開口部側から柄１ａを押し込むことによって、柄１ａ（ブラシ保持板部８）の厚さ寸法Ｔ０分だけ開口端部２０ａ，２０ａが押し拡げられ、自由状態に復元しようとする弾発復元力Ｆによって柄１ａの両側面を圧接して挟み込み、刷毛１を支持している。クリップ部材２は、柄１ａ（ブラシ保持板部８）の厚さ寸法Ｔ０が相違する複数種類の刷毛１…に共用が可能となっている。クリップ部材２は、柄１ａを厚み方向に２つに割って形成された内の１方のブラシ保持板部８に取付けられる（図６参照）ことで、一枚板状の柄１ａを有する刷毛１（図７参照）との共用が可能となっている。
また、板バネ本体部２０の開口端部２０ａ，２０ａには、傾斜面部２１，２１が形成されているため、柄１ａを傾斜面部２１，２１に摺接させつつ押し込むと開口端部２０ａ，２０ａが相互に拡げられ、簡単にクリップ部材２を刷毛１に取着できるように構成されている。
係止片３は、クリップ部材２の反開口側に設けられている。係止片３は、帯板状の金具を倒立Ｕ字状乃至倒立Ｊ字状に弯曲して形成されている。係止片３は、板バネ本体部２０と一体的に形成、又はリベット止め、カシメ、又は（接着剤による）接着等の方法により固着されている。
【００１２】
図１に於て、取付け部材４は、一対の挟み板１４，１４と、該挟み板１４，１４間に介在する捩じりバネ（はさみバネ）９を有している。挟み板１４，１４は、先端が互いに近接し合うように捩じりバネ９によって弾発付勢されている。取付け部材４は、挟み板１４，１４の先端にて容器５の上端周縁部５ａを挟み込んで、着脱自在に取着されている。上端周縁部５ａの厚さ寸法Ｔ５が相違する複数種類の容器５…に共用が可能として構成されている。
取付け部材４は、容器５の内方側に、倒立Ｕ字状の被引掛部６を付設している。被引掛部６には、貫通孔１０が形成されている。図２及び図３に示すように、貫通孔１０は、係止片３を挿通可能な一文字状のスリットであり、係止片３を上方から引掛けて係着することで、クリップ部材２（刷毛１）を取付け部材４に保持している。被引掛部６には、複数の貫通孔１０…が形成され、複数のクリップ部材２…（刷毛１…）が保持させられるように構成されている。（なお、貫通孔１０を単数設けても良い。）
【００１３】
図１及び図４に示す各実施の形態に於て、容器５は、外容器１５と、外容器１５に内装され塗料Ｐを収容する交換自在の内容器１６とを有している。
外容器１５は、ある程度の剛性を有する材料（金属や合成樹脂等）から成り、従来から下げ缶として使用されてきたものである。内容器１６は、外容器１５よりも薄く可撓性を有し、安価なもの（使い捨て自在なもの）を用いるも好ましく、複数の種類（色）の塗料Ｐ…を使用する際に、種類毎に交換して使い分ける。
このように、容器５が２層構造となっている場合であっても、取付け部材４は、上端周縁部５ａを確実に上方から挟み込んで、容器５に取着できるように構成されている。
【００１４】
次に、本発明の他の実施の形態について説明する。
図４に於て、刷毛保持装置は、取付け部材４の構成が図１〜図３の実施形態と異なっている。取付け部材４は、断面が横倒略己字状に形成され、鉛直上方に立設された被引掛部６を有している。この被引掛部６は、上方から係止片３を係着可能として、クリップ部材２（刷毛１）を保持している。また、取付け部材４は、容器５の上端周縁部５ａに上方から嵌着可能な弯曲部２４を備えている。弯曲部２４は、弾発力（復元力）をもって上端周縁部５ａを挟み込んで、容器５に着脱自在に取着されている。
被引掛部６は、柄１ａの厚さ寸法Ｔ０に対して５〜１０倍程度に幅の広い長板状に形成されており、複数のクリップ部材２…（刷毛１…）を並べて係着させられるように構成されている。
なお、図４に例示した塗装用刷毛１は、平ブラシであり、図７に示すように、厚さ寸法Ｔ０が一定の柄１ａに、クリップ部材２が上下方向に摺動自在として挟着されている。
【００１５】
さらに、本発明の別の実施の形態について説明すると、図５に示すように、取付け部材４の構成を上述の２つの実施形態と相違させ、容器５は、内容器１６を省略している。容器５は、（従来のように）外容器１５に直接に塗料Ｐを収容して使用することもでき、この場合は、塗料Ｐの入れ替えの際に、容器５（外容器１５）内を、洗浄液や溶剤等で洗浄して使用する。
取付け部材４は、容器５の上端周縁部５ａに上方から引掛可能な折曲部２５を備え、容器５に着脱自在に取着されている。また、取付け部材４は、袋状の被引掛部６を有すると共に、被引掛部６に上方開口状の貫通孔１１を有している。貫通孔１１は、柄１ａの厚さ寸法Ｔ０に対して５〜１０倍程度に幅の広い連続状のスリットであり、係止片３を上方から挿通して引掛けることで、複数のクリップ部材２…を並べて取り付けることができ、しかも、取付け部材４に複数の刷毛１…を係脱自在に保持させられるように構成されている。なお、図示省略するが、クリップ部材２は、係止片３を、容器５（外容器１５）の上端周縁部５ａに上方から引掛けて係着するも好ましい。
【００１６】
上述した本発明の刷毛保持装置の使用方法（作用）について説明する。
図１、図４及び図５に示すように、塗装用刷毛１の柄１ａにクリップ部材２を取り付ける。クリップ部材２の取着位置は、刷毛１のブラシ毛７が塗料Ｐに浸るようにし、柄１ａが塗料Ｐに浸からないように、塗料Ｐの表面Ｚから高さ寸法Ｈの位置に設定する。クリップ部材２は、傾斜面部２１，２１に柄１ａを押し付けることで、板バネ本体部２０の開口端部２０ａ，２０ａが拡がるように弾性変形し、弾発復元力Ｆをもって柄１ａを挟圧し、刷毛１が下方に落ちないように吊持する。クリップ部材２を取着すべき高さ寸法Ｈは、容器５に収容される塗料Ｐの容量によって塗料Ｐの深さ寸法Ｄが変化すると、適宜その深さ寸法Ｄに対応して調整される。高さ寸法Ｈの調整は、クリップ部材２を柄１ａの上下方向に摺らして、取着位置を調節するのみで簡単に行える。
【００１７】
次に、塗装用刷毛１に取付けたクリップ部材２の係止片３を、容器５の上端周縁部５ａに取着した取付け部材４の被引掛部６に、上方から引掛ける。塗装用刷毛１は、ブラシ毛７のみを塗料Ｐに浸漬した状態で取付け部材４に保持される。塗装用刷毛１は、柄１ａをクリップ部材２により支持されるため、ブラシ毛７は宙吊り状態となって、荷重がかかって曲がり癖がつくことはない。また、柄１ａが塗料Ｐに浸からないため、塗装作業中に持ち手となる部分に塗料Ｐが付着しない。
そして、塗装用刷毛１を持ち上げて係止片３を被引掛部６から引き抜き、塗装用刷毛１を取付け部材４から取外す。クリップ部材２は、塗装用刷毛１の柄１ａに付けたままでも塗装作業が可能であり、塗装作業への移行がスムーズである。塗装作業に於て、塗装対象物の大きさや凹凸に応じて複数の種類の刷毛１…を使い分ける際には、頻繁に刷毛１を持ち替えるため、クリップ部材２の付け外しを行わずに塗装作業を続行することで、塗装作業に掛かる時間が短縮され、作業効率が向上する。
【００１８】
また、塗装用刷毛１は、ブラシ毛７を塗料Ｐに浸けた状態で取付け部材４に保持されるため、ブラシ毛７に含まれた塗料Ｐが乾燥しにくく固化しない。即ち、塗装作業を中断した際に、ブラシ毛７を常時固まらない環境で保管し、１日〜３日後に塗装作業を再開する場合であっても、直ちに正常な塗装が行える状態で刷毛１を保持する。
容器５の塗料Ｐを入れ替える際には、外容器１５から内容器１６ごと塗料Ｐを取り出して、別の塗料Ｐを収容した内容器１６に交換する。この際、取付け部材４は、一旦、容器５の上端周縁部５ａから取り外され、塗料Ｐの入替後に、再び取付けられる。
【００１９】
なお、本発明は、設計変更可能であって、例えば、図１に示す実施形態に於て、取付け部材４の被引掛部６を、上下反転してＵ字状とし、上方から係止片３を係着可能として設けるも望ましい。この場合、貫通孔１０を省略しても良い。また、図３に示した複数の貫通孔１０…を長手方向に繋げて形成し、幅の広い連続状のスリットとしても良い。また、上述の全ての実施形態に於て、容器５に、内容器１６を設けるか、省略するかは自由に選択可能である。なお、容器５が外容器１５のみから成る場合には、クリップ部材２は、係止片３を、容器５（外容器１５）の上端周縁部５ａに上方から引掛けて係着するも好ましい。
【００２０】
以上のように、本発明は、塗装用刷毛１の柄１ａに上下方向に摺動自在として挟着されるクリップ部材２を有し、クリップ部材２には係止片３を突設し、さらに、クリップ部材２の係止片３が上方から係脱自在に引掛けられる被引掛部６を有すると共に塗料Ｐを収容した容器５の上端周縁部５ａに取着される取付け部材４を、備えたので、ブラシ毛７に曲がり癖を付けずに刷毛１を容器５に保持できる。また、クリップ部材２を刷毛１の柄１ａの上下方向に摺らして取着位置を調整できる。これにより、容器５内の塗料Ｐの量の多少にかかわらず、刷毛１のブラシ毛７だけが塗料Ｐに浸るように調整して保持できる。即ち、塗装作業の最中において、複数種類の刷毛１…を、順次使用しようとするとき、ブラシ毛７には適量の塗料Ｐが付着しているので、直ちに美しく塗装を行い得る。塗装作業中断時にブラシ毛７だけを塗料Ｐに浸けた状態で刷毛１を保持できるため、ブラシ毛７に付着した塗料Ｐが固まりにくく、塗装作業を中断してから１日〜３日後に再開する場合であっても、直ちに塗装を開始することができる。また、刷毛１の柄１ａが、塗料Ｐに浸入しないように調整して、柄１ａに塗料Ｐが過分に付着しないように保持できる。また、クリップ部材２を柄１ａに取着したまま刷毛１を持ち替えて使用することができ、塗装作業の作業効率を向上できる。しかも、クリップ部材２を複数種類の刷毛１…に共用できる。また、固化した塗料Ｐを解きほぐすための洗浄液や溶剤を使わなくて済むため、環境汚染を抑制できる。
【００２１】
また、クリップ部材２は、柄１ａを弾発復元力Ｆをもって挟圧する断面略Ｕ字状の板バネ本体部２０を有し、板バネ本体部２０の開口端部２０ａ，２０ａに拡開状傾斜面部２１，２１を有しているので、簡単にクリップ部材２を刷毛１に取着できる。また、クリップ部材２の取着位置の調整が容易となり、高さ寸法Ｈの調整が非常に簡単に行える。
【００２２】
また、取付け部材４は、容器５の上端周縁部５ａに着脱自在に取着され、かつ、上端周縁部５ａの厚さ寸法Ｔ５が相違する複数種類の容器５に共用可能としたので、塗料Ｐの入れ替えを迅速に行える。また、容器５が、外容器１５と内容器１６とを有し２層構造となっている場合であっても、取付け部材４を上端周縁部５ａに取着可能である。
【符号の説明】
【００２３】
１  塗装用刷毛
１ａ  柄
２  クリップ部材
３  係止片
４  取付け部材
５  容器  
５ａ  上端周縁部
６  被引掛部
２０  板バネ本体部
２０ａ  開口端部
２１  傾斜面部
Ｐ  塗料
Ｆ  弾発復元力
Ｔ５  厚さ寸法
Ｔ０  厚さ寸法
【図１】
0005437182.tif 000002
【図２】
0005437182.tif 000003
【図３】
0005437182.tif 000004
【図４】
0005437182.tif 000005
【図５】
0005437182.tif 000006
【図６】
0005437182.tif 000007
【図７】
0005437182.tif 000008
【図８】
0005437182.tif 000009